(57)【要約】【課題】収納ケースの表面上で書類の安定性を保持できるようにする。【解決手段】収納ケース１１の蓋体５の天板部１０の表面に１側辺に沿う位置にＵ字状の切り込み２２を形成し、この切り込み２２で囲まれた書類２４差し込み用の舌片２３を設けた。【選択図】        図１１
2004230678.tif 000002
【特許請求の範囲】
【請求項１】
収納ケースの蓋体の天板部の表面あるいは本体の底板部の裏面に１側辺に沿う位置にＵ字状の切り込みで囲まれた書類差し込み用の舌片を設けてなることを特徴とする収納ケース。
【発明の詳細な説明】
【０００１】
【発明の属する技術分野】
本発明は、書類などを収納する収納ケースに関するものである。
【０００２】
【従来の技術】
従来から書類などを収納する収納ケースとして、例えば特許文献１に開示されているような、本体と、この本体に一体に連結され本体を覆う蓋体とからなる合成樹脂製の収納ケースが一般に知られている。
【０００３】
このような収納ケースは内部に書類などを収納できるようになっているものの、蓋体を閉じた状態において、蓋体上に書類を載せ、書類に筆記することを目的として作られておらず、蓋体上に書類を載せたときの安定性が悪いという問題があった。
【０００４】
【特許文献１】
特開２００１−２４６８９０号公報
【０００５】
【発明が解決しようとする課題】
本発明はこのような課題を解決するもので、収納ケースの表面上で書類の安定性を保持できるようにすることを目的とするものである。
【０００６】
【課題を解決するための手段】
この課題を解決するために本発明は、収納ケースの蓋体の天板部の表面あるいは本体の底板部の裏面に１側辺に沿う位置にＵ字状の切り込みで囲まれた書類差し込み用の舌片を設けてなることを要旨とするものである。
【０００７】
この構成により、収納ケースの蓋体の天板部の表面あるいは本体の底板部の裏面に１側辺に沿ってＵ字状の切り込みで囲まれた舌片の内側に書類の１側辺を差し込むことにより、収納ケースに載せた書類に筆記するとき、その書類のずれ動きを防止し、書類の安定性を保持できる。
【０００８】
【発明の実施の形態】
以下、本発明の一実施の形態について、図面に基づいて説明する。
図１〜図１２において、１は合成樹脂により作られた透明もしくは半透明もしくは不透明の収納ケースであって、この収納ケース１は書類を収納するために合成樹脂製のシートにより書類の収納部が形成されてなる多数枚のホルダー２を同時に収納できる大きさの容積を有する本体３と、この本体３に薄肉のヒンジ部４をもって一体に連結され本体３を覆う蓋体５とから構成されている。
【０００９】
前記本体３と蓋体５とは収納ケース１の厚み分の幅を持つ長尺状の板部６を介するとともに、この板部６の両側に位置する前記薄肉のヒンジ部４をもって繋がっている。また、前記本体３は書類を収納した多数枚のホルダー２を収納できる大きさの容積を有するように、長方形の底板部７と、この底板部７の周囲に位置する短辺側の互いに対向する両方の縁部から起立する側板部８，８と、この底板部７の周囲に位置する長方形の互いに対向する一方の縁部から起立し前記側板部８，８と同じ高さの側板部９とから構成されている。また、前記蓋体５は前記本体３の長辺側の互いに対向する他方の縁部に前記板部６を介して繋がり前記本体３の底板部７と同じ大きさの長方形の天板部１０と、この天板部１０の周囲に位置する短辺側の互いに対向する両方の縁部から起立し前記本体３の側板部８，８、９の高さよりも低い側板部１１，１１と、この天板部１０の周囲に位置する長辺側の互いに対向する一方の縁部から起立し前記側板部１１，１１と同じ高さの側板部１２とから構成されている。そして、蓋体５は長辺側の互いに対向する他方の縁部が前記板部６に繋がり、また前記本体３は長辺側の互いに対向する他方の縁部が前記板部６に繋がり、この板部６と本体３側との繋がり部ならびにこの板部６と蓋体５側との繋がり部がそれぞれ薄肉のヒンジ部４となっていることにより、蓋体５は本体３に対して開閉自在となっている。次に、前記長尺状の板部６と本体３の底板部７との繋がり部にまたがって円形を呈し外周に両側に張り出す鍔部１３を備えた合成樹脂製の係止具１４を係止させて支持するための切り込み部１５を前記板部６および底板部７の長さ方向に適当間隔おきに形成し、この切り込み部１５に前記係止具１４を係止させて設けている。そして、この係止具１４は前記板部６および底板部７の長さ方向に対し直角に向くように備えられている。さらに、この係止具１４について詳細に述べると、前記板部６および底板部７の長さ方向に対し直角に向く板部１６と、この板部１６の周囲を囲み板部１６の厚みよりも大きな外径を有して板部１６の厚み方向両側に張り出して板部１６との繋がり部がほぼ直角に形成された前記鍔部１３とを備えている。なお、前記切り込み部１５は係止具１４の断面形状とほぼ同形状に形成され、前記鍔部１３に係止する板部１５ａの端部は係止具１４を切り込み部１５に嵌め込むときの割れを防止するためにテーパー状となっている。
【００１０】
一方、前記ホルダー２は、平面形状が矩形を呈し、ホルダー２の１側辺に沿って超音波融着により無数のスポット状融着部１７を形成してある。詳しくは、ホルダー２の１側部においてホルダー２を形成する合成樹脂製のシートの端部を折り返して３層乃至４層構造の部分にスポット状融着部１７を形成してある。そして、このスポット状融着部１７の範囲内で前記１側辺に沿って適当間隔おきにファイル用手段としてほぼＴ字状に切り込まれた係止部１８を形成してある。さらに、前記ホルダー２を立てた状態における上端の辺に前記書類の収納部に対し書類を出し入れするための開口部１９を形成してある。
【００１１】
上記構成において、ファイル用手段としてほぼＴ字状に切り込まれた係止部１８は、前記係止具１４の前記鍔部１３に係止して、多数枚のホルダー２が脱着自在に綴じられるようになっている。即ち、ほぼＴ字状に切り込まれた係止部１８はその弾性によって係止具１４の鍔部１３に対して容易に脱着できるものである。なお、前記係止具１４の数は図面に示すものに限らず、多くても少なくても良く、この係止具１４の数に合わせてホルダー２の係止部１８の数も決定される。この係止具１４に係止されたホルダー２は前記係止部１８が前記鍔部１３に係止した状態で鍔部１３に沿って移動でき、蓋体５が開かれた状態でホルダー２は本体３側もしくは蓋体５側に回動できるようになっている。そして、蓋体５が閉じられた状態のときは鍔部１３の中央に移動して本体３の内部に収まるようになっている。
【００１２】
収納ケース１を閉じた状態にするときは、本体３側に形成した凸部２０に蓋体５側に形成した凹部２１を係合させれば良く、この状態で収納ケース１を机などの上に置いたり、持ち運びすることができる。蓋体５を開くときは前記凹部２１を凸部２０から外せば良く、本体３と蓋体５との係脱手段は前記凸部２０、凹部２１に限定されるものではない。
【００１３】
ところで、本実施の形態の収納ケース１は蓋体５の前記天板部１０の外周近傍で１側辺に沿って複数箇所（２〜３箇所）にＵ字状の切り込み２２を形成し、この切り込み２２で囲まれた舌片２３を天板部１０の表面よりも舌片２３の厚み程度突出させ、天板部１０の表面で舌片２３の内側に書類２４の１側辺を差し込んで、天板部１０の表面に載せた書類２４のずれ動きを防止できるように構成されている。図面に示す実施の形態では天板部１０に収納ケース１内に収納される書類２４とほぼ同じ大きさの凹部２５が形成され、この凹部２５の長辺側の１側辺に沿って両端近傍の２箇所に切り込み２２で囲まれた舌片２３，２３が形成されているが、この２箇所の舌片２３，２３間の中央部にも同様に切り込みで囲まれた舌片を形成しておいても良い。また、凹部２５の長辺側の１側辺に沿って舌片を形成する代わりに、凹部２５の短辺側の１側辺に沿って舌片を形成しても良い。その舌片の数は２つ、３つに限らず、１つでも良い。
【００１４】
なお、特に前記凹部２５は無くても、前記舌片２３を備えることにより書類２４の安定性を保持できる。
以上、本発明の実施の形態について述べたが、本発明は天板部１０の表面をテーブル代わりに利用して、書類２４に筆記するとき、天板部１０上での書類２４のずれ動きを防止することを主たる目的とするもので、収納ケース１の中に書類２４を裸のまま、つまり書類２４をホルダー２に収納せずに入れるようにした収納ケースに対しても上記と同様に舌片を備え、書類の安定性を保持させることができる。
【００１５】
また、上記した実施の形態では蓋体５の前記天板部１０上に書類２４を載せて、舌片２３により書類２４を保持するようにしてあるが、本体３の底板部７の裏面側に上記と同様に舌片を備えるようにしても良い。
【００１６】
【発明の効果】
以上のように本発明によれば、収納ケースの蓋体の天板部の表面あるいは本体の底板部の裏面に１側辺に沿う位置にＵ字状の切り込みで囲まれた書類差し込み用の舌片を設け、舌片の内側に書類の１側辺を差し込むことにより、収納ケースに載せた書類に筆記するとき、その書類のずれ動きを防止し、書類の安定性を保持できる。
【図面の簡単な説明】
【図１】本発明の一実施の形態における収納ケースの蓋体を開いた状態を示す斜視図である。
【図２】同収納ケースの蓋体を開いた状態を示す平面図である。
【図３】同多数枚のホルダーを係止具に係止させた状態を示す斜視図である。
【図４】同係止具に係止されるホルダーの斜視図である。
【図５】同ホルダーの要部拡大平面図である。
【図６】同切り込み部の拡大斜視図である。
【図７】同係止具を切り込み部に取り付けた状態を示す拡大斜視図である。
【図８】同係止具に対するホルダーの係止状態を示す要部拡大斜視図である。
【図９】同収納ケースの蓋体を閉じた状態を示す断面図である。
【図１０】同収納ケースの蓋体を閉じた状態を示す斜視図である。
【図１１】同収納ケースの蓋体の天板部上に書類をセットした状態を示す斜視図である。
【図１２】同収納ケースの蓋体の天板部上に書類をセットした状態を示す要部拡大断面図である。
【符号の説明】
１          収納ケース
３          本体
４          ヒンジ部
５          蓋体
６          板部
７          底板部
８，９      側板部
１０          天板部
１１，１２    側板部
２２          切り込み
２３          舌片
２４          書類
２５          凹部
【図１】
2004230678.tif 000003
【図２】
2004230678.tif 000004
【図３】
2004230678.tif 000005
【図４】
2004230678.tif 000006
【図５】
2004230678.tif 000007
【図６】
2004230678.tif 000008
【図７】
2004230678.tif 000009
【図８】
2004230678.tif 000010
【図９】
2004230678.tif 000011
【図１０】
2004230678.tif 000012
【図１１】
2004230678.tif 000013
【図１２】
2004230678.tif 000014